(57)【要約】【課題】かしめリングが同軸ケーブルに沿って移動すること、およびかしめリングの入れ忘れを防止できるようにした高周波信号用コネクタを提供すること。【解決手段】同軸ケーブルの端部を要素として利用し同軸接栓を構成する高周波信号用コネクタ。中心位置に同軸ケーブルを支持する円筒状空洞を有し、外周の一端がガイド付きの筒状部であり、外周の他端が同軸接線座に固定するための部材との連結部であって、前記筒状部の前記連結部寄りの位置に前記同軸ケーブルの端部と当接するケーブル受け部１１ｃを有するケーブル保持部材１１と、外周面にかしめ用突起を有するケーブル受け部の外周とほぼ同径のリング状をなし、前記ケーブル受け部の端面に仮留めされるかしめリング１３と、前記ケーブル保持部材の前記外周他端に回転自由に連結され、前記同軸接線座に固定するための部材としてのネジ１２とをそなえる。【選択図】図１
0003130742.tif 000002
【実用新案登録請求の範囲】
【請求項１】
同軸ケーブルの端部に装着され、前記同軸ケーブルの端部を要素として利用し同軸接栓を構成する高周波信号用コネクタにおいて、
中心位置に前記同軸ケーブルを支持する円筒状空洞を有し、この円筒状空洞部の外周の一端が前記同軸ケーブルの絶縁層と編組との間に差し込まれるガイド付きの筒状部であり、前記円筒状空洞部の外周の他端が同軸接線座に固定するための部材との連結部であって、前記筒状部の前記連結部寄りの位置に前記同軸ケーブルの端部と当接するケーブル受け部を有するケーブル保持部材と、
外周面にかしめ用突起を有する前記ケーブル受け部の外周とほぼ同径のリング状をなし、前記ケーブル受け部の端面に仮留めされるかしめリングと、
前記ケーブル保持部材の前記外周他端に回転自由に連結され、前記同軸接線座に固定するための部材としてのネジと
をそなえた高周波信号用コネクタ。
【請求項２】
請求項１記載の高周波信号用コネクタにおいて、
前記かしめリングの前記かしめ用突起は、２つの山形突起により構成される高周波信号用コネクタ。
【請求項３】
請求項２記載の高周波信号用コネクタにおいて、
前記かしめリングにおける前記かしめ用突起の相互間の部分は、外周方向に突出している高周波信号用コネクタ。
【請求項４】
請求項１記載の高周波信号用コネクタにおいて、
前記かしめリングは、金属製または樹脂製である高周波信号用コネクタ。
【請求項５】
請求項１記載の高周波信号用コネクタにおいて、
前記かしめリングは、前記ケーブル受け部に一面が粘着性の可撓性貼付片により仮留めされることを特徴とする高周波信号用コネクタ。
【考案の詳細な説明】
【技術分野】
【０００１】
本考案は、同軸ケーブルに装着されて同軸接栓を構成する高周波信号用コネクタに係わり、とくに同軸ケーブルの端部に固定するためのかしめリングを有するものに関する。
【背景技術】
【０００２】
従来、この種の同軸接栓を同軸ケーブルに固定するには、円筒状をなし、一端に締付け用ネジが設けられた接栓部材を装着して、先に同軸ケーブルを通しておいたかしめリングをかしめている。
【考案の開示】
【考案が解決しようとする課題】
【０００３】
しかしながら、かしめリングは、接栓部材と別部材であり、しかも同軸ケーブルに先に通しておき、後に接栓部材の外周からかしめるため、かしめる時点ではかしめリングが同軸ケーブルに沿って移動していることがある。同軸接栓を取り付ける場所が高所であると、かしめリングはかなり下方まで滑り落ちていることがあり、所定位置まで戻すにはかなりの手間と時間とがかかる。また、ときには、かしめリングを入れ忘れることがある。  
本考案は上述の点を考慮してなされたもので、かしめリングが同軸ケーブルに沿って不測の移動をすること、およびかしめリングの入れ忘れを防止できるようにした高周波信号用コネクタを提供することを目的とする。
【課題を解決するための手段】
【０００４】
上記目的達成のため、本考案では、
同軸ケーブルの端部に装着され、前記同軸ケーブルの端部を要素として利用し同軸接栓を構成する高周波信号用コネクタにおいて、
中心位置に前記同軸ケーブルを支持する円筒状空洞を有し、この円筒状空洞部の外周の一端が前記同軸ケーブルの絶縁層と編組との間に差し込まれるガイド付きの筒状部であり、前記円筒状空洞部の外周の他端が同軸接線座に固定するための部材との連結部であって、前記筒状部の前記連結部寄りの位置に前記同軸ケーブルの端部と当接するケーブル受け部を有するケーブル保持部材と、
外周面にかしめ用突起を有する前記ケーブル受け部の外周とほぼ同径のリング状をなし、前記ケーブル受け部の端面に仮留めされるかしめリングと、
前記ケーブル保持部材の前記外周他端に回転自由に連結され、前記同軸接線座に固定するための部材としてのネジと
をそなえた高周波信号用コネクタ、
を提供する。
【考案の効果】
【０００５】
本考案は上述のように、予めかしめリングをケーブル保持部材に仮留めしておくため、同軸接栓を同軸ケーブルに取り付ける作業中、かしめリングは常にケーブル保持部材に固定されており、同軸ケーブルに沿って移動することがない。したがって、かしめリングをかしめるまでかしめリングはケーブル保持部材と一体であり、同軸接栓を同軸ケーブルに取り付ける作業に支障を来たすことなく、作業性を大幅に向上することができる。
【考案を実施するための最良の形態】
【０００６】
以下、添付図面を参照して本考案の実施の形態を説明する。
【実施例１】
【０００７】
図１(a)，(b)は、本考案に係る同軸接栓１０の同軸ケーブルへの取付前の状態を示す斜視図である。この図１(a)，(b)に示すように、芯線を突出させた同軸ケーブル（図示せず）のケーブル保持部材１１の図示左端には、同軸接栓１０の取付ねじ１２が装着され、またほぼ中央部にはかしめリング１３が接着剤により仮留めされている。かしめリング１３は、例えばアルミニウムを含む金属製とするか、または金属と同様の成形性を有する樹脂製であってもよい。
【０００８】
図２は、図１(a)，(b)に示した同軸接栓１０に同軸ケーブル２０を差し込む際の状態を示した説明図である。
【０００９】
同軸ケーブル２０は、芯線２１が所定長突出してそのまま同軸接栓の中心導体として利用される状態とされ、芯線２１の周囲にある絶縁層２２が若干露出し、その外層にある編組２３がケーブル保持部材１１に当接するように外被２４の端面に露出している。
【００１０】
この同軸ケーブル２０をケーブル保持部材１１に差し込んでいくと、ケーブル保持部材１１の図示右端のテーパ状のガイド部が同軸ケーブル２０の絶縁層２２と編組２３との間に差し込まれていき、編組２３がケーブル保持部材１１のケーブル受け部であるフランジ状部分に当接する。
【００１１】
この状態で、かしめリング１３を外被２４の外周上からかしめると、接着されていたかしめリング１３はケーブル保持部材１１から外れるとともに、外被２４、編組２３をケーブル保持部材１１の外周に対して圧迫固定する。これにより、同軸ケーブル２０と同軸接栓１０との固定が行われる。
【００１２】
したがって、かしめリング１３は、同軸ケーブル２０を同軸接栓１０に固定するまで同軸接栓１０に固定されており、同軸ケーブル２０に沿って移動してしまうことはない。
【００１３】
図３(a)，(b)は、ケーブル保持部材１１と、かしめリング１３との接着構造、およびケーブル保持部材１１と取付ネジ１２との連結構造を示した説明図である。
【００１４】
まずケーブル保持部材１１とかしめリング１３との接着は、ケーブル保持部材１１のケーブル受け部１１ｃにおけるフランジ状部の外周から延びる円筒状部の端面に接着剤１４を数箇所または全周にわたり塗布し、この円筒状部とほぼ同径のかしめリング１３の図示左側端面を接着剤１４に接触させることにより行う。これにより、かしめリング１３は、ケーブル保持部材１１とともに軸周りを回転することはあっても軸方向には移動できなくなる。
【００１５】
次に、ケーブル保持部材１１と取付ネジ１２との連結構造は、ケーブル保持部材１１の反同軸ケーブル側端に取付ネジ１２をあてがった状態で、ケーブル保持部材１１の端部を拡開することにより、取付ネジ１２の外れ止めとする。これにより、取付ネジ１２は、ケーブル保持部材１１の軸方向には移動せずに軸周りを自由に回転する状態となる。
【００１６】
図４は、ケーブル保持部材１１にまだ何も付着させていない状態を示したものである。ケーブル保持部材１１の図示右端は、同軸ケーブル（図示せず）に差し込まれるためのテーパ状のガイド部１１ａがあり、このガイド部１１ａよりもやや小径の筒状部１１ｂに連なる。そして、この筒状部１１ｂの他端寄りの位置に、同軸ケーブルの編組および外被の端部が当接する面を内部に有するフランジ状部、およびこのフランジ状部の外周に設けられた円筒状部１１ｃが設けられ、他端には取付ネジ１２（図３参照）と連結されるための拡開部１１ｄが設けられている。この拡開部１１ｄは、想像線で示すように、取付ネジ１２をあてがった状態で拡開することにより、取付ネジ１２を回転自由に支持する。
【００１７】
なお、上記実施例では、かしめリングを仮留めするにつき接着剤を用いているが、溶接もしくは溶着によって行ってもよい。
【実施例２】
【００１８】
図５は、本考案の実施例２の外観形状を示したものである。この実施例２は、実施例１における接着、溶着による仮留めに換えて、かしめリングとケーブル保持部材とを、一面が粘着性の可撓性貼付片３０、例えばテープ、シール等により仮留めするものである。この貼付片３０は、紙または樹脂製として非粘着性の面に書き込みができるような処理をしておくと、作業指示等の表示をすることができる。
【図面の簡単な説明】
【００１９】
【図１】図１(a)，(b)は、本考案の実施例１の外観構成を示す説明図。
【図２】図２は、図１に示した同軸接栓に同軸ケーブルを差し込む状態を示した説明図。
【図３】図３(a)，(b)は、図１および図２に示した同軸接栓にかしめリングを接着する構造を示した説明図。
【図４】図１ないし図３に示した同軸接栓のケーブル保持部材を示す斜視図。
【図５】本考案の実施例２の外観構成を示す説明図。
【符号の説明】
【００２０】
１０  同軸接栓、１１  ケーブル保持部材、１２  取付ネジ、
１３  かしめリング、１４  接着剤、２０  同軸ケーブル、２１  芯線、
２２  絶縁層、２３  編組、２４  外被、３０  可撓性貼付片。
【図１】
0003130742.tif 000003
【図２】
0003130742.tif 000004
【図３】
0003130742.tif 000005
【図４】
0003130742.tif 000006
【図５】
0003130742.tif 000007